(57)【要約】【課題】使用環境に応じて適切なカラー画像表示を行うことができ、有機エレクトロルミネッセンス素子を構成する有機エレクトロルミネッセンス層を赤、緑、青用の３回に分けて形成する必要がない表示装置を提供する。【解決手段】表示装置１１は、有機ＥＬパネル１２上に、透過型の液晶パネル１３とカラーフィルタ２０とが配置されている。有機ＥＬパネル１２は、液晶パネル１３の表示面と反対側に配置され、液晶パネル１３の各液晶サブピクセルに対応して白色発光するＥＬサブピクセルが設けられ、液晶パネル１３から入射された光を液晶パネル１３側へ反射する光反射部を備えている。表示装置１１は、液晶パネル１３に画像を表示させる液晶パネル用駆動手段と、有機ＥＬパネル１２に画像を表示させるエレクトロルミネッセンスパネル用駆動手段と、いずれの駆動手段を用いて画像を表示するかを決定する選択手段とを備えている。【選択図】      図１
2005031294.tif 000002
【特許請求の範囲】
【請求項１】
エレクトロルミネッセンスパネル上に、液晶パネルとカラーフィルタとが配置された表示装置であって、
前記液晶パネルは透過型又は半透過型であり、
前記エレクトロルミネッセンスパネルは、前記液晶パネルの表示面と反対側に配置され、前記液晶パネルの各液晶サブピクセルに対応してＥＬサブピクセルが設けられ、液晶パネル側から入射された光を液晶パネル側へ反射する光反射部を備え、
各ＥＬサブピクセルは、少なくとも、対応するカラーフィルタが透過する波長の光に対して光透過性を備え、白色発光し、
表示装置は、さらに、液晶パネル用駆動手段と、エレクトロルミネッセンスパネル用駆動手段と、いずれの駆動手段を用いて画像を表示するかを決定する選択手段とを備えていることを特徴とする表示装置。
【請求項２】
エレクトロルミネッセンスパネル上に、液晶パネルとカラーフィルタとが配置された表示装置であって、
前記液晶パネルは透過型又は半透過型であり、
前記エレクトロルミネッセンスパネルは、前記液晶パネルの表示面と反対側に配置され、前記液晶パネルの各液晶サブピクセルに対応してＥＬサブピクセルが設けられ、液晶パネル側から入射された光を液晶パネル側へ反射する光反射部を備え、
各ＥＬサブピクセルは、少なくとも、対応するカラーフィルタが透過する波長の光に対して光透過性を備え、白色発光し、
表示装置は、さらに、液晶パネル用駆動手段と、エレクトロルミネッセンスパネル用駆動手段と、液晶パネル及びエレクトロルミネッセンスパネルを同時駆動させる同時駆動手段と、いずれの駆動手段を用いて画像を表示するかを決定する選択手段とを備え、
前記同時駆動手段を用いて画像を表示する場合には、当該同時駆動手段は、前記液晶パネル用駆動手段及びエレクトロルミネッセンスパネル用駆動手段を制御し、前記液晶パネルに画像を表示させ、黒表示状態にされている液晶サブピクセルと対応するＥＬサブピクセルを非発光状態にし、他のＥＬサブピクセルを発光状態にすることを特徴とする表示装置。
【請求項３】
前記同時駆動手段は、前記液晶パネル用駆動手段に、各液晶サブピクセルの光透過量を制御させて階調処理を行わせることを特徴とする請求項２に記載の表示装置。
【請求項４】
前記同時駆動手段は、前記エレクトロルミネッセンスパネル用駆動手段に、発光状態にある各ＥＬサブピクセルを同一輝度で光らせることを特徴とする請求項３に記載の表示装置。
【請求項５】
前記同時駆動手段は、前記エレクトロルミネッセンスパネル用駆動手段に、発光状態にある各ＥＬサブピクセルの発光輝度を制御させて階調処理を行わせることを特徴とする請求項２に記載の表示装置。
【請求項６】
前記表示装置は、さらに、前記選択手段により液晶パネル用駆動手段を用いて画像を表示すると決定されている場合に、前記エレクトロルミネッセンスパネルを全面発光させるか、非発光状態にさせるかを決定する第二の選択手段を有し、
前記第二の選択手段は、エレクトロルミネッセンスパネルを全面発光させると決定した場合に、前記エレクトロルミネッセンスパネル用駆動手段に前記エレクトロルミネッセンスパネルを全面発光させることを特徴とする請求項１から請求項５のいずれか一項に記載の表示装置。
【請求項７】
前記エレクトロルミネッセンスパネルは有機エレクトロルミネッセンスパネルであることを特徴とする請求項１から請求項６のいずれか一項に記載の表示装置。
【発明の詳細な説明】
【０００１】
【発明の属する技術分野】
本発明は、エレクトロルミネッセンスパネル上に、液晶パネルとカラーフィルタとが配置された表示装置に関する。
【０００２】
【従来の技術】
液晶表示装置は、携帯機器等の表示装置として広く用いられている。これら携帯機器においては、小型軽量化、低消費電力に対するニーズが高い。そこで、バックライトとして有機エレクトロルミネッセンス素子を用い、暗所においてはバックライトを使用した透過型として機能し、日中の屋外等、照度の高い環境においては反射型として機能する液晶表示装置が提案されている（例えば、特許文献１参照。）。
【０００３】
また、カラー液晶表示装置として、液晶表示画素パターンに合わせて、有機エレクトロルミネッセンス素子で構成された単色光発光素子を光源とする画素が配置された表示器が提案されている（例えば、特許文献２参照。）。この表示器はカラーフィルタを使用しないため、光源である単色光発光素子から出射された光が、カラーフィルタを透過する間に吸収されたり、散乱することにより利用率が低下するのを防止することができる。
【０００４】
【特許文献１】
特開平３−１８９６２７号公報（２頁、第１図）
【特許文献２】
特開平７−２９４９１６号公報（明細書の段落［０００８］〜［００１０］，［００２０］、図１）
【０００５】
【発明が解決しようとする課題】
しかしながら、特許文献２に記載の表示器では、外光を利用して液晶のカラー表示を行うことはできず、単色光発光素子が光源となる。従って、日中の屋外等、照度の高い環境での使用においては、コントラストが低下し、画質が低下する。また、外光を光源として使用できないため、その分、電力消費量が多くなる。また、フルカラー表示を行うためには、有機エレクトロルミネッセンス素子を構成する有機エレクトロルミネッセンス層を赤色発光用、緑色発光用、青色発光用の３回に分けて形成する必要が有り、製造が複雑になる。
【０００６】
本発明は、前記従来の問題に鑑みてなされたものであって、その目的は、使用環境に応じて適切なカラー画像表示を行うことができ、有機エレクトロルミネッセンス素子を構成する有機エレクトロルミネッセンス層を赤、緑、青用の３回に分けて形成する必要がない表示装置を提供することにある。
【０００７】
【課題を解決するための手段】
前記の目的を達成するために、本発明に係る第一の表示装置は、エレクトロルミネッセンスパネル上に、液晶パネルとカラーフィルタとが配置された表示装置である。液晶パネルは透過型又は半透過型である。エレクトロルミネッセンスパネルは、液晶パネルの表示面と反対側に配置され、液晶パネルの各サブピクセル（液晶サブピクセル）に対応してＥＬサブピクセルが設けられ、液晶パネル側から入射された光を液晶パネル側へ反射する光反射部を備える。各ＥＬサブピクセルは、少なくとも、対応するカラーフィルタが透過する波長の光に対して光透過性を備え、白色発光する。また、表示装置は、液晶パネル用駆動手段と、エレクトロルミネッセンスパネル用駆動手段と、いずれの駆動手段を用いて画像を表示するかを決定する選択手段とを備えている。
【０００８】
なお、光反射部は、第一の表示装置から外部へ出射／反射する波長の光を反射する部材であれば良く、一般には可視光を反射する部材として構成される。
また、第一の表示装置は、さらに、選択手段により液晶パネル用駆動手段を用いて画像を表示すると決定されている場合に、エレクトロルミネッセンスパネルを全面発光させるか、非発光状態にさせるかを決定する第二の選択手段を有していると良い。第二の選択手段は、エレクトロルミネッセンスパネルを全面発光させると決定した場合に、エレクトロルミネッセンスパネル用駆動手段にエレクトロルミネッセンスパネルを全面発光させる。
【０００９】
本発明に係る第二の表示装置は、エレクトロルミネッセンスパネル上に、液晶パネルとカラーフィルタとが配置された表示装置である。液晶パネルは透過型又は半透過型である。エレクトロルミネッセンスパネルは、液晶パネルの表示面と反対側に配置され、液晶パネルの各液晶サブピクセルに対応してＥＬサブピクセルが設けられ、液晶パネル側から入射された光を液晶パネル側へ反射する光反射部を備える。各ＥＬサブピクセルは、少なくとも、対応するカラーフィルタが透過する波長の光に対して光透過性を備え、白色発光する。表示装置は、さらに、液晶パネル用駆動手段と、エレクトロルミネッセンスパネル用駆動手段と、液晶パネル及びエレクトロルミネッセンスパネルを同時駆動させる同時駆動手段と、いずれの駆動手段を用いて画像を表示するかを決定する選択手段とを備える。同時駆動手段を用いて画像を表示する場合には、同時駆動手段は、液晶パネル用駆動手段及びエレクトロルミネッセンスパネル用駆動手段を制御し、液晶パネルに画像を表示させ、黒表示状態にされている液晶サブピクセルと対応するＥＬサブピクセルを非発光状態にし、他のＥＬサブピクセルを発光状態にする。
【００１０】
第二の表示装置の同時駆動手段は、液晶パネル用駆動手段に、各液晶サブピクセルの光透過量を制御させて階調処理を行わせてもよい。
この場合、第二の表示手段の同時駆動手段は、エレクトロルミネッセンスパネル用駆動手段に、発光状態にある各ＥＬサブピクセルを同一輝度で光らせるとよい。
【００１１】
また、第二の表示装置の同時駆動手段は、エレクトロルミネッセンスパネル用駆動手段に、発光状態にある各ＥＬサブピクセルの発光輝度を制御させて階調処理を行わせてもよい。
【００１２】
第二の表示装置においても、液晶パネルで画像を表示する際にエレクトロルミネッセンスパネルを全面発光させてもよい。
第一〜第二の表示装置においては、エレクトロルミネッセンスパネルは有機エレクトロルミネッセンスパネルであってもよい。
【００１３】
【発明の実施の形態】
以下、本発明を具体化した一実施の形態を図１〜図５に従って説明する。図１は表示装置の模式断面図であり、図２は表示装置の駆動回路の概略構成図である。図１において、下側が表示装置の表示側（光の出射方向側）となる。なお、図１及び図２に示す各構成要素の相対的な大きさ及び厚さは実際と異なる。
【００１４】
図１に示すように、表示装置１１は、エレクトロルミネッセンスパネルとしての有機エレクトロルミネッセンスパネル１２上に、液晶パネル１３とカラーフィルタ２０とが配置された構成となっている。以下、有機エレクトロルミネッセンスパネル１２を有機ＥＬパネル１２と記載する。有機ＥＬパネル１２及び液晶パネル１３はいずれもユニット化され、両パネルを組み合わせることにより表示装置１１が構成されている。有機ＥＬパネル１２は白色発光のパッシブマトリックス駆動方式として構成され、液晶パネル１３はパッシブマトリックス駆動方式の透過型として構成されている。
【００１５】
液晶パネル１３は、一組の透明な基板１４，１５を備え、両基板１４，１５は所定の間隔を保った状態で、シール材１６により貼り合わされて、その間に液晶１７が封入されている。基板１４，１５は例えばガラス製である。有機ＥＬパネル１２側に配置された一方の基板１４には、液晶１７と対応する側の面に透明電極１８が、複数、平行なストライプ状に形成されている。基板１４の液晶１７と反対側の面には偏光板１９が形成されている。なお、この明細書で「透明」とは、表示装置１１から外部へ出射する波長の光に対して透過性を有することをいい、一般には可視光に対して透過性を有するように設定される。
【００１６】
他方の基板１５には液晶１７と対応する側の面にカラーフィルタ２０が形成され、カラーフィルタ２０上には走査電極２１が透明電極１８と直交する状態に形成されている。即ち、この実施の形態ではカラーフィルタ２０は液晶パネル１３に組み込まれている。基板１５の走査電極２１が形成された面と反対側の面に偏光板２２が形成されている。
【００１７】
透明電極１８及び走査電極２１は透明な導電材料で形成され、この実施の形態ではＩＴＯ（インジウム錫酸化物）やＩＺＯ等の公知の透明電極材料で形成されている。透明電極１８及び走査電極２１の各交差部が液晶パネル１３のサブピクセル、即ち液晶サブピクセルを構成する。液晶サブピクセルは表示装置１１を基板１５側から眺めた場合に、マトリックス状に配置された状態となっている。カラーフィルタ２０はＲ（赤）、Ｇ（緑）、Ｂ（青）の３色のカラーフィルタ２０ａ，２０ｂ，２０ｃにより構成され、各カラーフィルタ２０ａ〜２０ｃは、ストライプ状に複数本平行に形成されている。
【００１８】
液晶パネル１３はノーマリホワイト方式に構成されている。即ち、基板１４，１５間に封入された液晶１７は、透明電極１８及び走査電極２１間に電圧が印加されていない状態においては、偏光板１９及び液晶１７を透過した光が偏光板２２を透過可能になり、偏光板２２及び液晶１７を透過した光が偏光板１９を透過可能になる。また、透明電極１８及び走査電極２１間に電圧が印加されることにより、偏光板１９及び液晶１７を透過した光が偏光板２２を透過する割合が低下し、偏光板２２及び液晶１７を透過した光が偏光板１９を透過する割合が低下する。そして、所定電圧が印加されると、光が偏光板１９あるいは偏光板２２で遮断されるようになっている。従って、透明電極１８及び走査電極２１間に電圧が印加されていない状態においては白表示となり、電圧が印加されることにより透過率が低下して灰色表示になり、所定電圧が印加されると黒表示になるように構成されている。
【００１９】
有機ＥＬパネル１２は、ガラス製の透明な基板２３上に、第１電極２４、白色に発光する発光層を含む有機エレクトロルミネッセンス層２５、第２電極２６及びパッシベーション膜２７が順次積層されている。第１電極２４は、各カラーフィルタ２０ａ〜２０ｃと対向する位置にストライプ状に形成されている。有機エレクトロルミネッセンス層２５は図示しない絶縁性の隔壁により隔てられた状態で第１電極２４と直交する方向に延びる複数の平行なストライプ状に形成され、第２電極２６は有機エレクトロルミネッセンス層２５上に積層されている。第１電極２４及び第２電極２６の交差部分が有機ＥＬパネル１２のサブピクセル、即ちＥＬサブピクセルを構成し、ＥＬサブピクセルは表示装置１１を基板１５側から眺めた場合に、液晶サブピクセルと重なるマトリックス状に配置された状態となっている。即ち、有機ＥＬパネル１２は、各液晶サブピクセルに対応して白色発光するＥＬサブピクセルが設けられている。そして、液晶サブピクセルを有機ＥＬパネル１２側からカラーフィルタ２０側に透過した光が、当該液晶サブピクセルと対応するカラーフィルタ２０ａ〜２０ｃを経て基板１５から出射するようになっている。有機エレクトロルミネッセンス層２５からの白色光は各カラーフィルタ２０ａ〜２０ｃを透過した後、対応する色の光となる。そして、Ｒ（赤）、Ｇ（緑）、Ｂ（青）のサブピクセルの組合せにより所望の色が再現される。
【００２０】
なお、有機エレクトロルミネッセンス層２５は、各カラーフィルタ２０の透過域の波長の光を発し、かつ、白色を表現するように設計される。本例では、カラーフィルタ２０ａの透過域内の波長の光と、カラーフィルタ２０ｂの透過域内の波長の光と、カラーフィルタ２０ｃの透過域内の波長の光とを発するように設計される。
【００２１】
第１電極２４、有機エレクトロルミネッセンス層２５及び第２電極２６の露出部分と、基板２３の第１電極２４側の露出面とがパッシベーション膜２７で被覆されている。パッシベーション膜２７は、少なくとも水分（水蒸気）及び酸素の透過を抑制する機能を有し、かつ透明な材料で形成され、この実施の形態では窒化ケイ素で形成されている。
【００２２】
この実施の形態では第１電極２４が陽極を構成し、第２電極２６が陰極を構成する。第１電極２４は透明な導電材料で形成され、この実施の形態ではＩＴＯ（インジウム錫酸化物）で形成されている。第２電極２６は光反射性の金属で形成され、金属として、例えばクロムやアルミニウム等を採用できる。第２電極２６は各液晶サブピクセルに対応して設けられたＥＬサブピクセルを構成する白色発光可能な発光層から液晶パネル１３と反対側に出射される光を反射する光反射部としても機能する。即ち、有機ＥＬパネル１２は液晶パネル１３側から入射された光を液晶パネル１３側へ反射する光反射部を備えている。
【００２３】
有機エレクトロルミネッセンス層２５には公知の構成のものが使用され、例えば、第１電極２４側から順に、正孔注入層、発光層及び電子注入層の３層あるいは正孔注入層、正孔輸送層、発光層及び電子輸送層の４層で構成されている。発光層は白色発光を行うように構成されている。有機エレクトロルミネッセンス層２５も透明に形成されている。即ち、有機ＥＬパネル１２の各サブピクセルは、少なくとも、対応するカラーフィルタ２０ａ〜２０ｃが透過する波長の光に対して光透過性を備えている。
【００２４】
図２に示すように、有機ＥＬパネル１２及び液晶パネル１３で構成される表示部２８の外側には、第１電極２４に電圧を印加する第１電極ドライバ２９と、第２電極２６に電圧を印加する第２電極ドライバ３０とが設けられている。第１電極ドライバ２９及び第２電極ドライバ３０は、有機ＥＬパネル１２に画像を表示させるエレクトロルミネッセンスパネル用駆動手段を構成する。また、表示部２８の外側には、走査電極２１に電圧を印加する走査電極ドライバ３１と、透明電極１８に電圧を印加する透明電極ドライバ３２とが設けられている。走査電極ドライバ３１及び透明電極ドライバ３２は液晶パネル１３に画像を表示させる液晶パネル用駆動手段を構成する。各ドライバ２９〜３２は制御装置３３からの制御信号により駆動制御される。
【００２５】
制御装置３３は複数の表示モードで有機ＥＬパネル１２及び液晶パネル１３を駆動可能に構成されている。制御装置３３は、制御装置３３に装備された入力装置３４により入力された指令信号に基づいて表示モードを決定し、指令された表示モードで有機ＥＬパネル１２及び液晶パネル１３を駆動するように、各ドライバ２９〜３２に制御信号を出力するように構成されている。制御装置３３は、液晶パネル１３及び有機ＥＬパネル１２を同時駆動させる同時駆動手段を構成する。制御装置３３及び入力装置３４は、液晶パネル用駆動手段及びエレクトロルミネッセンスパネル用駆動手段のいずれの駆動手段を用いて画像を表示するかを決定する選択手段を構成する。
【００２６】
制御装置３３は、同時駆動手段として機能する場合には、液晶パネル用駆動手段及びエレクトロルミネッセンスパネル用駆動手段を制御し、液晶パネル１３に画像を表示させ、黒表示状態にされている液晶サブピクセルと対応するＥＬサブピクセルを非発光状態にし、他のＥＬサブピクセルを発光状態にする。
【００２７】
表示モードには、液晶パネル１３のみを駆動する液晶表示モードと、液晶パネル１３及び有機ＥＬパネル１２を同時に駆動する同時駆動モードとがある。制御装置３３は、液晶表示モードでは、液晶パネル用駆動手段、即ち、走査電極ドライバ３１及び透明電極ドライバ３２のみをパッシブマトリックス駆動方式で駆動制御する。
【００２８】
同時駆動モードには、有機ＥＬパネル１２を単純なバックライトとして使用するバックライトモードと、有機ＥＬパネル１２を液晶パネル１３と同期して駆動する同期モードとがある。ここで、「有機ＥＬパネル１２を液晶パネル１３と同期して駆動する」とは、黒表示状態にされている液晶サブピクセルと対応するＥＬサブピクセルは非発光状態にし、光が透過する液晶サブピクセルと対応するＥＬサブピクセルを発光状態にするように駆動することを意味する。同期モードには、第１同期モード及び第２同期モードがある。制御装置３３は、同期モードでは、液晶パネル１３及び有機ＥＬパネル１２をパッシブマトリックス駆動方式で駆動するように各ドライバ２９〜３２を駆動制御する。
【００２９】
第１同期モードでは、黒表示状態にされている液晶サブピクセルと対応するＥＬサブピクセルは非発光状態にし、他のＥＬサブピクセルを同一輝度で発光させる。即ち、制御装置３３は、液晶パネル用駆動手段を用いて液晶パネル１３に画像を表示させ、エレクトロルミネッセンスパネル用駆動手段に対して、黒表示状態の液晶サブピクセルと対応する以外のＥＬサブピクセルを同一輝度で発光させるように各ドライバ２９〜３２を制御する。
【００３０】
制御装置３３及び入力装置３４は、第１同期モードで有機ＥＬパネル１２及び液晶パネル１３を駆動させる場合、液晶パネル用駆動手段を用いて画像を表示すると決定されている場合に、有機ＥＬパネル１２を全面発光させるか、非発光状態にさせるかを決定する第二の選択手段として機能する。
【００３１】
第２同期モードでは、黒表示状態にされている液晶サブピクセルと対応するＥＬサブピクセルは非発光状態とし、他のＥＬサブピクセルを対応する液晶サブピクセルの光透過量と対応した輝度で発光させる。即ち、制御装置３３は、液晶パネル用駆動手段は前記と同様に制御し、黒表示状態の液晶サブピクセルと対応する以外のＥＬサブピクセルを対応する液晶サブピクセルの光透過量と対応した輝度で発光させるように各ドライバ２９〜３２を制御する。
【００３２】
なお、本実施の形態に係るバックライトでは、有機ＥＬパネル１２及び液晶パネル１３がそれぞれパッシブマトリックス駆動方式により駆動されるため、液晶パネルの走査とエレクトロルミネッセンスパネルの走査とを同期させる。
【００３３】
次に前記のように構成された表示装置１１の作用を説明する。
表示装置１１の電源が投入され、表示部２８の表示画面に画像を表示させる際、入力装置３４により入力された表示モードで有機ＥＬパネル１２及び液晶パネル１３を駆動するように、制御装置３３から各ドライバ２９〜３２に指令信号が出力される。
【００３４】
液晶表示モードでは、有機ＥＬパネル１２を非発光状態に保持した状態で液晶パネル１３をパッシブマトリックス駆動方式で駆動するように各ドライバ２９〜３２が駆動制御される。即ち、第１電極２４及び第２電極２６間に電圧が印加されない状態に保持するように、制御装置３３から第１電極ドライバ２９及び第２電極ドライバ３０に指令信号が出力される。また、制御装置３３から液晶パネル１３の走査電極ドライバ３１及び透明電極ドライバ３２に各走査電極２１及び透明電極１８をパッシブマトリックス駆動方式で駆動するように指令信号が出力される。
【００３５】
図３に示すように、液晶パネル１３に入射する外光（矢印で図示）は、黒表示状態以外の液晶サブピクセルと対応する部分において、有機ＥＬパネル１２の第２電極２６で反射する。そして、有機ＥＬパネル１２側から液晶パネル１３に入射してカラーフィルタ２０ａ〜２０ｃを透過して基板１５から出射する。従って、液晶パネル１３において高照度の外光を光源として視認性の良好な画像表示が行われる。なお、図３において、黒表示の液晶１７の部分を縦縞で表している。
【００３６】
液晶パネル１３及び有機ＥＬパネル１２を同時に駆動する同時駆動モードのうち、バックライトモードでは、全てのＥＬサブピクセルを同一輝度で発光させる状態に保持するように、第１電極ドライバ２９及び第２電極ドライバ３０が駆動制御される。そして、全ての第１電極２４及び第２電極２６間に同じ電圧が印加された状態に保持するように、制御装置３３から第１電極ドライバ２９及び第２電極ドライバ３０に指令信号が出力される。また、液晶パネル１３の走査電極ドライバ３１及び透明電極ドライバ３２に各走査電極２１及び透明電極１８をパッシブマトリックス駆動方式で駆動するように指令信号が出力される。
【００３７】
図４に示すように、液晶パネル１３に入射する外光（実線の矢印で図示）は、黒表示状態以外の液晶サブピクセルと対応する部分において、有機ＥＬパネル１２の第２電極２６で反射し、前記と同様にカラーフィルタ２０ａ〜２０ｃを透過して基板１５から出射される。また、有機ＥＬパネル１２の各有機エレクトロルミネッセンス層２５から出射された光のうち、黒表示状態以外の液晶サブピクセルと対応する部分の光（二点鎖線の矢印で図示）が、カラーフィルタ２０ａ〜２０ｃを透過して基板１５から出射される。その結果、夜間あるいは照度の低い室内等では有機ＥＬパネル１２の有機エレクトロルミネッセンス層２５を主な光源としてカラーの画像表示を行うことができる。
【００３８】
同時駆動モードのうち、第１同期モードでは、黒表示状態の液晶サブピクセルと対応するＥＬサブピクセルは非発光状態とし、それ以外のＥＬサブピクセルを同一輝度で発光させるように、第１電極ドライバ２９及び第２電極ドライバ３０が駆動制御される。また、液晶パネル１３の走査電極ドライバ３１及び透明電極ドライバ３２に、制御装置３３から各走査電極２１及び透明電極１８をパッシブマトリックス駆動方式で駆動するように指令信号が出力される。図５に示すように、黒表示状態の液晶サブピクセルと対応する部分において、有機ＥＬパネル１２の有機エレクトロルミネッセンス層２５が発光しない点がバックライトモードと異なる。従って、バックライトモードに比較して電力消費量が少なくなる。なお、図５において、外光を実線の矢印で、有機エレクトロルミネッセンス層２５からの光を二点鎖線の矢印で示す。また、有機エレクトロルミネッセンス層２５からの光には第２電極２６で反射した反射光も含まれる。
【００３９】
同時駆動モードのうち、第２同期モードでは、黒表示状態の液晶サブピクセルと対応するＥＬサブピクセルが非発光状態となる点は第１同期モードと同じであるが、発光状態（輝度）が液晶サブピクセルの光透過量に対応して制御される点が異なっている。詳述すれば、液晶パネル１３の階調表示に対応して、有機エレクトロルミネッセンス層２５の輝度が調整される。即ち、光透過量の多い液晶サブピクセルと対応するＥＬサブピクセルは高輝度となり、光透過量の少ない液晶サブピクセルと対応するＥＬサブピクセルは低輝度となる。従って、第１同期モードに比較して、よりコントラストの高い画像表示を行うことができ、電力消費がより少なくなる。
【００４０】
この実施の形態では以下の効果を有する。
（１）  日中の屋外等、照度の高い環境での使用においては外光を光源とし、有機ＥＬパネル１２を発光させずに液晶パネル１３を駆動することで鮮明な画像を表示できる。また、バックライトを常時発光させる表示装置と比べて消費電力を低減できる。夜間あるいは照度の低い室内等の十分な外光が得られない場所では、有機ＥＬパネル１２及び液晶パネル１３を駆動して画像表示を行うことにより鮮明な画像を表示できる。このように、装置外部（好ましくは液晶パネル外部）の明るさによって有機ＥＬパネル１２の駆動状態を選択可能なために、電力を無駄に消費せずに適切なカラーの画像表示を行うことができる。また、どのような条件下でも使用者に鮮明な画像を提供できる。
【００４１】
その理由は、表示装置１１は、有機ＥＬパネル１２上に、透過型の液晶パネル１３と、カラーフィルタ２０とが配置され、有機ＥＬパネル１２は液晶パネル１３の表示面と反対側に配置されている。有機ＥＬパネル１２は、各液晶サブピクセルに対応して白色発光するＥＬサブピクセルが設けられ、各ＥＬサブピクセルは、少なくとも、対応するカラーフィルタ２０ａ〜２０ｃが透過する波長の光に対して光透過性を備えている。さらに、有機ＥＬパネル１２は、液晶パネル１３側から入射された光を液晶パネル１３側へ反射する光反射部を備えている。表示装置１１は、さらに、液晶パネル１３に画像を表示させる液晶パネル用駆動手段と、有機ＥＬパネル１２に画像を表示させるエレクトロルミネッセンスパネル用駆動手段と、いずれの駆動手段を用いて画像を表示するかを決定する選択手段とを備えているからである。
【００４２】
（２）  ＥＬサブピクセルを構成する有機エレクトロルミネッセンス層２５として赤色発光用、緑色発光用、青色発光用の専用の有機エレクトロルミネッセンス層を個々に設ける場合に比較して、製造が容易になるという効果を得ることができる。その理由は、全てのＥＬサブピクセルは白色発光であるため、有機エレクトロルミネッセンス層２５を赤色発光用、緑色発光用、青色発光用の３回に分けて形成する必要が無いからである。
【００４３】
また、エレクトロルミネッセンスパネルのサブピクセルごとに発光色を変える場合には、サブピクセルごとの寿命をほぼ同一にしたり、特定のサブピクセルの輝度が強すぎたりしないようにしたりしなければならないため、エレクトロルミネッセンスパネル形成用の材料として選択可能な材料が極めて限定される。これに対し、本実施の形態に係る表示装置１１では、有機ＥＬパネル１２の各サブピクセルは、それぞれ同一の有機エレクトロルミネッセンス素子（白色発光）で構成されているため、以上のような問題は生じにくい。
【００４４】
（３）  全てのＥＬサブピクセルを同じ発光状態に保持して、一般的なバックライトとして使用するか、有機ＥＬパネル１２を液晶パネル１３と同期して駆動させるかを選択できるという効果を得ることができる。その理由は、制御装置３３は、入力装置３４の操作により、全てのＥＬサブピクセルを同一輝度で発光させるか、黒表示状態の液晶サブピクセルと対応するＥＬサブピクセルを非発光状態とし、他のＥＬサブピクセルを発光状態にするかを選択可能に構成されているからである。
【００４５】
（４）  液晶パネル１３及び有機ＥＬパネル１２を同時駆動させる際、第１同期モードを選択すると、全てのＥＬサブピクセルを同一輝度で発光させる場合に比較して、コントラストの高い画像表示が可能になるとともに消費電力が少なくなるという効果を得ることができる。また、第１電極ドライバ２９及び第２電極ドライバ３０の制御が簡単になるという効果を得ることができる。その理由は、第１同期モードを選択すると、液晶サブピクセルのうち表示面側に向かって出射する光が必要な液晶サブピクセルと対応するＥＬサブピクセルのみを同一輝度で発光させるからである。
【００４６】
（５）  液晶パネル１３及び有機ＥＬパネル１２を同時駆動させる際、第２同期モードを選択すると、全てのＥＬサブピクセルを同一輝度で発光させる場合に比較して、コントラストの高い画像表示が可能になるとともに消費電力が少なくなる。また、第１同期モードを選択した場合に比較して、よりコントラストの高い画像表示を行うことができるという効果を得ることができる。その理由は、第２同期モードを選択すると、液晶サブピクセルのうち表示面側に向かって出射する光が必要な液晶サブピクセルと対応するＥＬサブピクセルのみを液晶サブピクセルの透過状態に対応した輝度で発光させるからである。即ち、液晶サブピクセルの透過状態が大きなものに対応するＥＬサブピクセルは高い輝度で発光させ、透過状態が小さなものに対応するＥＬサブピクセルは低い輝度で発光させるからである。
【００４７】
（６）  液晶パネル１３がノーマリブラック方式の場合に比較してコントラストの高い画像表示を行うことができるという効果を得ることができる。その理由は、液晶パネル１３がノーマリホワイト方式であるため、電圧を掛けた状態で液晶パネル１３が黒表示状態に保持されるため、ノーマリブラック方式に比較して黒色表示がくっきりとするからである。
【００４８】
（７）  液晶パネル１３の光源として有機ＥＬパネル１２から液晶パネル１３と反対側に出射された光を使用することができるという効果を得ることができる。その理由は、光反射部が、有機ＥＬパネル１２を基準にして液晶パネル１３とは反対側に設けられているからである。
【００４９】
（８）  液晶パネル１３の光源として外光及び有機ＥＬパネル１２から液晶パネル１３と反対側に出射された光を使用する構成が簡単になるという効果を得ることができる。その理由は、有機ＥＬパネル１２は有機エレクトロルミネッセンス層２５を挟持する一対の電極のうち有機エレクトロルミネッセンス層２５を基準にして液晶パネル１３とは反対側の第２電極２６が光反射部を兼ねているからである。
【００５０】
（９）  一方をパッシブマトリックス駆動方式、他方をアクティブマトリックス駆動方式とする構成に比較して第２同期モードにおける制御が容易になるという効果を得ることができる。その理由は、有機ＥＬパネル１２及び液晶パネル１３の両者をパッシブマトリックス駆動方式とする構成のため、第２同期モードで両者を駆動する際に制御信号を共通にできるからである。
【００５１】
（１０）  各ＥＬサブピクセル毎にその近くに電圧の印加を制御するスイッチを設ける必要がないという効果を得ることができる。その理由は、有機ＥＬパネル１２がパッシブマトリックス駆動方式であるからである。
【００５２】
（１１）  表示装置１１の製造工程のレイアウトの自由度が大きくなるという効果を得ることができる。その理由は、液晶パネル１３はカラーフィルタ２０を備えたものとしてユニット化されており、有機ＥＬパネル１２もユニット化されているため、別々に製造された有機ＥＬパネル１２と液晶パネル１３とを組み合わせて表示装置１１を製造することができるからである。
【００５３】
（１２）  エレクトロルミネッセンスパネルとして無機エレクトロルミネッセンスパネルを使用する場合に比較して、電源電圧を低くできるという効果を得ることができる。その理由は、エレクトロルミネッセンスパネルとして有機ＥＬパネル１２を使用しているからである。
【００５４】
上記実施の形態に係る表示装置は、以下のように変形することもできる。また、下記変形例を、互いが矛盾しない範囲内で適宜組み合わせて具現化することもできる。
【００５５】
〇  第２電極２６に液晶パネル１３と反対側に出射される光を反射する光反射部の機能を持たせる構成に代えて、第２電極２６も透明な導電材料（例えば、ＩＴＯ）で形成され、第２電極２６の液晶パネル１３と反対側に光反射部として反射部材３５が設けられた構成としてもよい。即ち、有機ＥＬパネル１２は発光層を挟んで配置される一対の電極２４，２６が透明に形成され、前記発光層を基準にして液晶パネル１３とは反対側に光反射部が設けられている構成としてもよい。例えば、図６に示すように、透明なパッシベーション膜２７の外側にクロム等の金属膜を形成して反射面を設けてもよい。この場合も、有機ＥＬパネル１２と液晶パネル１３とを別々に製造した後、両者を組み付けることによって表示装置１１を製造することができる。また、有機エレクトロルミネッセンス層２５を挟んで配置される一方の電極（第２電極２６）が光反射部を兼用する構成に比較して、反射率の高い光反射部を構成する材質の選択の自由度が高くなる。
【００５６】
○  光反射部は、有機ＥＬパネル１２を基準にして液晶パネル１３とは反対側に設けられていればよく、有機ＥＬパネル１２の発光層を基準にして液晶パネル１３と同じ側に光反射部が設けられていてもよい。例えば、有機ＥＬパネル１２と液晶パネル１３の間に、液晶パネル１３側から有機ＥＬパネル１２側へ向かう光は反射し、有機ＥＬパネル１２側から液晶パネル１３側に向かう光を透過する光反射部（例えば、ハーフミラー）を設けてもよい。この場合も外光は前記光反射部で反射されて液晶パネル１３の光源として使用可能となり、有機ＥＬパネル１２から出射された光は光反射部を透過して液晶パネル１３の光源として使用可能となる。
【００５７】
〇  表示装置１１の表示モードの選択は、表示装置１１の利用者が入力装置３４を操作して制御装置３３に入力した指令信号に基づいてなされる構成に限らない。例えば、表示装置１１の外部（より好ましくは表示面）における明度を測定するセンサを備え、明度が閾値以上の場合には、液晶表示モードで表示を行う構成とし、明度が閾値未満の場合には、同時駆動モードのいずれかで行う構成としてもよい。また、閾値を複数設け、センサで検出された明度の大きさによって、バックライトモードとして使用する際の、有機ＥＬパネル１２の輝度を複数段階に設定可能に構成してもよい。この場合、利用者が判断を行って表示モードを指示しなくても、消費電力を無駄にせずに画像表示を行うことができる。
【００５８】
○  前記のように入力装置３４から表示モードを入力する前に、表示モードが自動的に設定される構成においても、入力装置３４から表示モードを入力することにより、入力装置３４で入力された表示モードで画像表示を行うように構成してもよい。また、入力装置３４で入力された表示モードと、制御装置３３で自動的に設定された表示モードのいずれを優先させるかを選択可能に構成してもよい。例えば、切換スイッチを設ける。この場合、表示モードの選択の自由度が大きくなる。
【００５９】
○  基板２３側に配設される第１電極２４を陰極とし、第２電極２６を陽極としてもよい。この場合、有機エレクトロルミネッセンス層２５の構成も変更する。例えば、有機エレクトロルミネッセンス層２５は、第１電極２４側から電子注入層、発光層及び正孔注入層の３層あるいは電子注入層、電子輸送層、発光層、正孔輸送層及び正孔注入層の５層とする。
【００６０】
〇  第１電極２４、第２電極２６及び有機エレクトロルミネッセンス層２５の各層は公知の材料を使用して公知の薄膜製造方法で作製できる。陽極の材料としては、ＩＴＯの他に、例えば、ＩＺＯ（インジウム亜鉛酸化物）、亜鉛アルミニウム酸化物等がある。陰極の材料としては、クロムやアルミニウムの他に、例えば、仕事関数が低いＬｉ，Ｍｇ，Ｃａ，Ｓｒ，Ｌａ，Ｃｅ，Ｅｒ，Ｅｕ，Ｓｃ，Ｙ，Ｙｂ等の金属一種以上と、安定なＡｇ，Ａｌ，Ｃｕ等の金属元素との合金が用いられる。具体的にはＭｇＡｇ，ＡｌＬｉ，ＣｕＬｉ等の合金が使用できる。
【００６１】
○  正孔輸送層の材料としては、銅フタロシアニン、テトラ（ｔ−ブチル）銅フタロシアニン等の金属フタロシアニン類及び無金属フタロシアニン類、キナクリドン化合物、１，１−ビス（４−ジ−ｐ−トリルアミノフェニル）シクロヘキサン、Ｎ，Ｎ’−ジフェニル−Ｎ，Ｎ’−ビス（３−メチルフェニル）−１，１’−ビフェニル−４，４’−ジアミン、Ｎ，Ｎ’−ジ（１−ナフチル）−Ｎ，Ｎ’−ジフェニル−１，１’−ビフェニル−４，４’−ジアミン等の芳香族アミンなどの低分子材料や、ポリチオフェン、ポリアニリン等の高分子材料、ポリチオフェンオリゴマー材料、その他既存の正孔輸送材料の中から選ぶことができる。
【００６２】
○  発光層の材料としては、９，１０−ジアリールアントラセン誘導体、ピレン、コロネン、ペリレン、ルブレン、１，１，４，４−テトラフェニルブタジエン、トリス（８−キノリノラート）アルミニウム錯体、トリス（４−メチル−８−キノリノラート）アルミニウム錯体、ビス（８−キノリノラート）亜鉛錯体、トリス（４−メチル−５−トリフルオロメチル−８−キノリノラート）アルミニウム錯体、トリス（４−メチル−５−シアノ−８−キノリノラート）アルミニウム錯体、ビス（２−メチル−５−トリフルオロメチル−８−キノリノラート）［４−（４−シアノフェニル）フェノラート］アルミニウム錯体、ビス（２−メチル−５−シアノ−８−キノリノラート）［４−（４−シアノフェニル）フェノラート］アルミニウム錯体、トリス（８−キノリノラート）スカンジウム錯体、ビス〔８−（パラ−トシル）アミノキノリン〕亜鉛錯体及びカドミウム錯体、１，２，３，４−テトラフェニルシクロペンタジエン、ペンタフェニルシクロペンタジエン、ポリ−２，５−ジヘプチルオキシ−パラ−フェニレンビニレン、クマリン系蛍光体、ペリレン系蛍光体、ピラン系蛍光体、アンスロン系蛍光体、ポルフィリン系蛍光体、キナクリドン系蛍光体、Ｎ，Ｎ’−ジアルキル置換キナクリドン系蛍光体、ナフタルイミド系蛍光体、Ｎ，Ｎ’−ジアリール置換ピロロピロール系蛍光体等の低分子材料や、ポリフルオレン、ポリパラフェニレンビニレン、ポリチオフェン等の高分子材料、その他既存の発光材料を用いることができる。
【００６３】
○  電子輸送層の材料としては、２−（４−ビフィニルイル）−５−（４−ｔ−ブチルフェニル）−１，３，４−オキサジアゾール、２，５−ビス（１−ナフチル）−１，３，４−オキサジアゾール及びオキサジアゾール誘導体やビス（１０−ヒドロキシベンゾ［ｈ］キノリノラート）ベリリウム錯体、トリアゾール化合物等が挙げられる。
【００６４】
○  第１電極２４や第２電極２６を透明に形成する構成として、導電性を有する透明な材質を使用する代わりに、極薄い金属層で透明に構成してもよい。極薄いとは５０ｎｍ以下を意味し、０．５〜２０ｎｍの範囲が好ましい。また、この金属層とＩＴＯ等の公知の透明電極との積層構造としてもよい。
【００６５】
○  有機エレクトロルミネッセンス層２５を構成する白色発光層は、異なる発光色を有する発光層を複数積層する発光層積層型構成であっても、１層の発光層に複数の発光中心を含有する発光材料を使用する構成であってもよい。１層の発光層に複数の発光中心を含有する発光材料を使用する構成の場合、発光層を形成する際の塗布回数を少なくできる。
【００６６】
○  有機ＥＬパネル１２は基板２３側から有機エレクトロルミネッセンス層２５の光が出射される所謂ボトムエミッション型に限らない。例えば、基板２３と反対側から光が出射される所謂トップエミッション型の構成とし、基板２３が液晶パネル１３と反対側に位置するように有機ＥＬパネル１２と液晶パネル１３とを組み付けてもよい。
【００６７】
○  液晶パネル１３はノーマリホワイト方式に限らず、ノーマリブラック方式としてもよい。この場合、ＥＬパネル用駆動手段を用いて有機ＥＬパネル１２に画像を表示させる際に、液晶パネル１３を黒表示する状態に保持させる際の電力消費量がノーマリホワイト方式に比較して少なくなる。
【００６８】
○  有機ＥＬパネル１２及び液晶パネル１３をパッシブマトリックス駆動方式とする構成に限らない。例えば、液晶パネル１３をパッシブマトリックス駆動方式とし、有機ＥＬパネル１２をアクティブマトリックス駆動方式とする構成にしたり、有機ＥＬパネル１２及び液晶パネル１３の両方をアクティブマトリックス駆動方式とする構成でもよい。アクティブマトリックス駆動方式では、各サブピクセル毎にアクティブ素子が設けられ、各サブピクセル毎に電極から電圧を印加したり、印加を解除することができる。一方、パッシブマトリックス駆動方式の場合は、液晶１７の透過率や有機エレクトロルミネッセンス層２５の輝度の調整は、走査電極２１毎あるいは第１電極２４毎に行われる。従って、各サブピクセル毎に液晶１７の透過率を調整したり、有機エレクトロルミネッセンス層２５の輝度を調整するためにはアクティブマトリックス駆動方式にする必要がある。
【００６９】
○  液晶パネル１３及び有機ＥＬパネル１２の同期駆動時に、液晶サブピクセルと対応するＥＬサブピクセルをその輝度が、液晶サブピクセルの透過状態に対応して連続的に変更するように発光させる代わりに、段階的に変更するように発光させてもよい。例えば、液晶サブピクセルの透過状態を複数の段階に分け、各段階に対応してＥＬサブピクセルの輝度を予め設定しておく。そして、液晶サブピクセルの透過状態に対応して定められた輝度となるようにＥＬサブピクセルを発光させる。この場合、第１同期モードに比較してコントラストがより高くなるが、第２同期モードに比較して制御が容易になる。
【００７０】
〇  表示装置１１の階調表示の方法は、第２同期モードのように、ＥＬサブピクセル及び液晶サブピクセルの両者について、その輝度及び透過率をそれぞれ調整する方法に限らない。例えば、液晶サブピクセルは透過率を最大とし、ＥＬサブピクセルの輝度を調整する方法、ＥＬサブピクセルは最大輝度で発光させ、液晶サブピクセルの透過率を調整する方法がある。また、全てのＥＬサブピクセルを最大輝度で発光させてバックライトとして使用し、液晶サブピクセルの透過率を調整する方法もある。
【００７１】
より一般的には以下のいずれかの手法によって階調処理を行えばよい。
・各液晶サブピクセルの光透過量を制御させて階調処理を行う手法。
この場合、発光状態にある各ＥＬサブピクセルを同一輝度で光らせてもよい。
・発光状態にある各ＥＬサブピクセルの発光輝度を制御させて階調処理を行わせる手法。
【００７２】
また、液晶パネルにて画像を表示し、エレクトロルミネッセンスパネルを全面発光させても良い。
〇  有機ＥＬパネル１２を構成するパッシベーション膜２７は窒化ケイ素に限らず、透明で水分や酸素等のガスの透過率の小さな他の材質、例えば酸化ケイ素やダイヤモンド・ライク・カーボンであってもよい。また、パッシベーション膜２７は窒化ケイ素、酸化ケイ素やダイヤモンドライクカーボン等の蒸着膜に限らず、ポリシラザンのように塗布で形成される塗布膜で構成してもよい。
【００７３】
〇  有機エレクトロルミネッセンス層２５を外部の水分及び酸素から保護する構成として、パッシベーション膜２７を設ける代わりに、封止缶（封止カバー）を使用する構成としてもよい。例えば、光透過性のガラス製のカバーを、カラーフィルタ２０、第１電極２４、有機エレクトロルミネッセンス層２５及び第２電極２６を覆うように、封止剤を使用して基板２３に固着する。
【００７４】
○  液晶サブピクセル及びＥＬサブピクセルの形状は複数本平行にストライプ状に配置される構成に限らず、ハニカム型に配置する構造としてもよい。この場合、カラーフィルタ２０ａ〜２０ｃも同じ形状で同じ配置にする。
【００７５】
〇  カラーフィルタ２０は、Ｒ（赤）、Ｇ（緑）、Ｂ（青）の３色のカラーフィルタ２０ａ，２０ｂ，２０ｃが複数本平行にストライプ状に配置される構成に限らない。例えば、Ｒ、Ｇ、Ｂの３色のカラーフィルタ２０ａ，２０ｂ，２０ｃのうち、同じ色のフィルタが斜めに配置される所謂モザイク配列や、Ｒ、Ｇ、Ｂの３色のカラーフィルタ２０ａ，２０ｂ，２０ｃが三角形状に配置される所謂デルタ配列としてもよい。また、フィルタの個々の形状は、四角形に限らず六角形としてもよい。
【００７６】
○  有機ＥＬパネル１２及び液晶パネル１３を同期状態で駆動する同期モードとして、第１同期モードのみ又は第２同期モードのみとしてもよい。この場合、第１同期モードのみとする方が、制御が容易になる。
【００７７】
○  同時駆動モードとして、同期モードはなしにして、バックライトモードのみとしてもよい。また、バックライトモードにおいて、ＥＬサブピクセルの輝度を複数段階の中から選択可能としてもよい。例えば、高輝度、中輝度、低輝度の３段階で選択可能とする。この場合、使用者が周囲の照度によって輝度を選択できる。
【００７８】
○  液晶パネル１３は透過型に限らず、半透過型であってもよい。
〇  有機ＥＬパネル１２に代えて、エレクトロルミネッセンスパネルとして無機エレクトロルミネッセンスパネル（無機ＥＬパネル）を使用してもよい。この場合、有機ＥＬパネル１２に比較してＥＬ素子を発光させる際の印加電圧が高くなるが、ＥＬ素子を用いた表示装置及び液晶表示装置の利点を生かして、使用環境及び使用目的に応じて適切なカラーの画像表示を行うことができる。
【００７９】
【発明の効果】
以上の説明からも明らかなように、本発明によれば、使用環境に応じて適切なカラー画像表示を行うことができ、有機エレクトロルミネッセンス素子を構成する有機エレクトロルミネッセンス層を赤、緑、青用の３回に分けて形成する必要がない。
【図面の簡単な説明】
【図１】一実施の形態の表示装置の模式断面図。
【図２】表示部の駆動回路の概略構成図。
【図３】作用を説明する模式断面図。
【図４】作用を説明する模式断面図。
【図５】作用を説明する模式断面図。
【図６】別の実施の形態の表示装置の模式断面図。
【符号の説明】
１１…表示装置、１２…有機エレクトロルミネッセンスパネル（有機ＥＬパネル）、１３…液晶パネル、２０，２０ａ，２０ｂ，２０ｃ…カラーフィルタ、２４…第１電極、２５…発光層を構成する有機エレクトロルミネッセンス層、２６…第２電極、２９…エレクトロルミネッセンスパネル用駆動手段を構成する第１電極ドライバ、３０…同じく第２電極ドライバ、３１…液晶パネル用駆動手段を構成する走査電極ドライバ、３２…同じく透明電極ドライバ、３３…選択手段及び第二の選択手段を構成しかつ同時駆動手段としての制御装置、３４…選択手段及び第二の選択手段を構成する入力装置、３５…光反射部としての反射部材。
【図１】
2005031294.tif 000003
【図２】
2005031294.tif 000004
【図３】
2005031294.tif 000005
【図４】
2005031294.tif 000006
【図５】
2005031294.tif 000007
【図６】
2005031294.tif 000008